(57)【要約】【課題】  本発明は、通風性能と防犯性能とを確保しつつ開放感が得られ、部屋の印象や雰囲気を低下させることなく、建物の外観の意匠性も低下させることがない開口部の防犯構造を提供することを可能にすることを目的としている。【解決手段】  リンク機構４により回動して開口部３を開閉する滑り出し障子２の最大開放時における開口幅Ｗが所定の開口幅以下になるようにその開口領域の一部に桟材５を設けた構成としたことを特徴とする。【選択図】      図１
2007211544.tif 000002
【特許請求の範囲】
【請求項１】
障子の開放時における開口部の防犯構造であって、
リンク機構により回動して前記開口部を開閉する滑り出し障子の最大開放時における開口幅が所定の開口幅以下になるようにその開口領域の一部に桟材を設けたことを特徴とする開口部の防犯構造。
【請求項２】
障子の開放時における開口部の防犯構造であって、
レールに沿って引くことにより前記開口部を開閉する引き障子の開放を中途で制限する制限手段と、
前記制限手段により開放制限を受けた状態で前記引き障子の最大開放時における開口幅が所定の開口幅以下になるようにその開口領域の一部に桟材を設けたことを特徴とする開口部の防犯構造。
【請求項３】
前記開口部は防犯ガラスの嵌め殺し部を有する片引き障子により開閉され、
前記制限手段は、前記開口部の開口枠部に設けられた突起部材または突っ張り部材に前記片引き障子が当接して該片引き障子の開放を中途で制限することを特徴とする請求項２に記載の開口部の防犯構造。
【請求項４】
前記開口部は複数の引き違い障子により開閉され、
前記開口部の一方側の引き違い障子を該開口部の開口枠部に設けられた係止部に係止されるカンヌキまたは鎌錠により固定する固定手段を有し、
前記制限手段は、前記開口部の他方側の引き違い障子を前記一方側の引き違い障子に設けられた突起部材または前記開口部の開口枠部に設けられた突っ張り部材に当接して該引き違い障子の開放を中途で制限し、
前記制限手段により開放制限を受けた状態で前記引き違い障子の最大開放時における開口幅が所定の開口幅以下になるようにその開口領域の一部に桟材を設けたことを特徴とする請求項２に記載の開口部の防犯構造。
【発明の詳細な説明】
【技術分野】
【０００１】
本発明は、住宅における開口部の防犯構造に関するものである。
【背景技術】
【０００２】
近年、窃盗グループによる空き巣被害が急増しており、住宅の防犯性能、特に賊の侵入口となり易い開口部窓の防犯性能の向上が求められている。
【０００３】
その一方で、エネルギーの浪費につながる機械的な空調への依存度を低減するために窓を大きく開け放ち、自然の通風を確保することによって室内の快適性を維持しようとする動きも活発になっている。
【０００４】
このように、住宅の窓には防犯性能と通風性能という相反する２つのニーズを満たすことが求められており、このようなニーズを満たすものとして従来から面格子が採用されている。例えば、特開２００２−０７０４４７号公報（特許文献１）には、引き違い窓の障子を全開した状態で開口をロック機能付きの格子障子で閉鎖することにより障子の全開状態の通風性能と防犯性能とを確保出来る技術が提案されている。
【０００５】
また、特開２００２−０４７８７４号公報（特許文献２）には、引き違い窓或いは引き違い戸を全開した状態で面格子と網戸が回動して開閉可能に設けられ、施錠装置により面格子を施錠することにより障子の全開状態の通風性能と防犯性能とを確保出来る技術が提案されている。
【０００６】
【特許文献１】特開２００２−０７０４４７号公報
【特許文献２】特開２００２−０４７８７４号公報
【発明の開示】
【発明が解決しようとする課題】
【０００７】
しかしながら、前述の従来例では、障子を全開した時の開口領域の全面に面格子が設置されるため開放感に欠け、収容施設を想起させるため居室の窓等に設置した場合に部屋の印象や雰囲気を著しく低下させる上、建物の外観の意匠性も低下させるという問題があった。
【０００８】
本発明は前記課題を解決するものであり、その目的とするところは、通風性能と防犯性能とを確保しつつ開放感が得られ、部屋の印象や雰囲気を低下させることなく、建物の外観の意匠性も低下させることがない開口部の防犯構造を提供せんとするものである。
【課題を解決するための手段】
【０００９】
前記目的を達成するための本発明に係る開口部の防犯構造の第１の構成は、障子の開放時における開口部の防犯構造であって、リンク機構により回動して前記開口部を開閉する滑り出し障子の最大開放時における開口幅が所定の開口幅以下になるようにその開口領域の一部に桟材を設けたことを特徴とする。
【００１０】
また、本発明に係る開口部の防犯構造の第２の構成は、障子の開放時における開口部の防犯構造であって、レールに沿って引くことにより前記開口部を開閉する引き障子の開放を中途で制限する制限手段と、前記制限手段により開放制限を受けた状態で前記引き障子の最大開放時における開口幅が所定の開口幅以下になるようにその開口領域の一部に桟材を設けたことを特徴とする。
【００１１】
また、本発明に係る開口部の防犯構造の第３の構成は、前記第２の構成において、前記開口部は防犯ガラスの嵌め殺し部を有する片引き障子により開閉され、前記制限手段は、前記開口部の開口枠部に設けられた突起部材または突っ張り部材に前記片引き障子が当接して該片引き障子の開放を中途で制限することを特徴とする。
【００１２】
また、本発明に係る開口部の防犯構造の第４の構成は、前記第２の構成において、前記開口部は複数の引き違い障子により開閉され、前記開口部の一方側の引き違い障子を該開口部の開口枠部に設けられた係止部に係止されるカンヌキまたは鎌錠により固定する固定手段を有し、前記制限手段は、前記開口部の他方側の引き違い障子を前記一方側の引き違い障子に設けられた突起部材または前記開口部の開口枠部に設けられた突っ張り部材に当接して該引き違い障子の開放を中途で制限し、前記制限手段により開放制限を受けた状態で前記引き違い障子の最大開放時における開口幅が所定の開口幅以下になるようにその開口領域の一部に桟材を設けたことを特徴とする。
【発明の効果】
【００１３】
本発明に係る開口部の防犯構造によれば、障子の最大開放時における開口幅が所定の開口幅以下になるようにその開口領域の一部に桟材を設けたことで、桟材が障子の最大開放時における開口領域の一部を覆うだけであるため通風性能と防犯性能とを確保しつつ開放感が得られ、部屋の印象や雰囲気を低下させることなく、建物の外観の意匠性も低下させることがない。
【発明を実施するための最良の形態】
【００１４】
図により本発明に係る開口部の防犯構造の一実施形態を具体的に説明する。図１は本発明に係る開口部の防犯構造を滑り出し障子に適用した場合の第１実施形態の構成を示す正面図及び側面図、図２は本発明に係る開口部の防犯構造を滑り出し障子に適用した場合の第２実施形態の構成を示す正面図及び側面図、図３は滑り出し障子のリンク機構の一例を示す図、図４は本発明に係る開口部の防犯構造を引き障子に適用した場合の第３実施形態の構成を示す正面図及び側面図、図５は本発明に係る開口部の防犯構造を引き障子に適用した場合の第４実施形態の構成を示す正面図及び側面図、図６及び図７は引き障子の各種の固定手段及び制限手段の一例を示す図である。
【００１５】
図１及び図２において、１は滑り出し障子２の開放時における開口部３の防犯構造であり、図３に例示するリンク機構４により回動して開口部３を開閉する滑り出し障子２の最大開放時における開口幅Ｗが所定の開口幅以下になるようにその開口領域の一部に桟材５が設けられている。
【００１６】
滑り出し障子２の最大開放時における開口幅Ｗは例えば、風は通るが人は通れない１４０mm以下とすることが出来る。桟材５は障子２よりも室内側に配置し、室外側からは取り外し作業が困難な位置で固定具で窓枠等の開口枠部６に固定するか、或いは汎用性の乏しい専用工具でのみ取り外し可能な固定具で窓枠等の開口枠部６に固定する。
【００１７】
桟材５は滑り出し障子２の開放側に寄せて配置し、リンク機構４により回動される滑り出し障子２の一部が開口領域の残りの一部を閉鎖する機能を兼ねる。
【００１８】
図１は上下方向に回動する滑り出し障子２の一例であり、（ａ）は閉鎖時、（ｂ）は全開時の状態をそれぞれ示す。また、図２は左右方向に回動する滑り出し障子２の一例であり、（ａ）は閉鎖時、（ｂ）は全開時の状態をそれぞれ示す。滑り出し障子２は２枚の硝子板の間に透明な樹脂を介在させた防犯ガラスにより構成することが出来る。図３は滑り出し障子２を回動して開閉し得るリンク機構４の一例を示し、（ａ）は閉鎖時、（ｂ）は中間時、（ｃ）は全開時の状態をそれぞれ示す。
【００１９】
図４及び図５において、１は片引き障子や引き違い障子７を含む引き障子の開放時における開口部３の防犯構造であり、レール８に沿って引くことにより開口部３を開閉する引き障子７の開放を中途で制限する制限手段を有して構成され、その制限手段により開放制限を受けた状態で引き障子７の最大開放時における開口幅Ｗが所定の開口幅以下になるようにその開口領域の一部に桟材５が設けられている。
【００２０】
引き障子７の最大開放時における開口幅Ｗは例えば、風は通るが人は通れない１４０mm以下とすることが出来る。桟材５は引き障子７よりも室内側に配置し、室外側からは取り外し作業が困難な位置で固定具で窓枠等の開口枠部６に固定するか、或いは汎用性の乏しい専用工具でのみ取り外し可能な固定具で窓枠等の開口枠部６に固定する。
【００２１】
ここで、開口部３が防犯ガラスの嵌め殺し部を有する図示しない片引き障子により開閉される場合には、制限手段としては、開口部３の開口枠部６に設けられた図示しない突起部材または図７（ａ）に示すような突っ張り部材10により構成することが出来、これらの突起部材や突っ張り部材10に片引き障子が当接して該片引き障子の開放を中途で制限することが出来るよう構成することが出来る。
【００２２】
また、図４及び図５に示すように、開口部３が複数（ここでは２枚）の引き違い障子７により開閉される場合には、開口部３の一方側の引き違い障子７を開口部３の開口枠部６に設けられた図７（ｂ）に示すような係止部12に係止されるカンヌキ（フランス落し）11または図６に示すような開口部３の開口枠部６に設けられた係止部12に係止される鎌錠13により固定する固定手段を有し、制限手段は、開口部３の他方側の引き違い障子７を一方側の引き違い障子７に設けられた図６に示す突起部材９または開口部３の開口枠部６に設けられた図７に示す突っ張り部材10に当接して該引き違い障子７の開放を中途で制限する。
【００２３】
尚、片引き障子や引き違い障子７等の引き障子の開放を中途で制限する制限手段としては、図６に示す突起部材９、或いは図７に示す係止部12に形成されるカンヌキ（フランス落し）11、或いは突っ張り部材10の何れか一つを採用すれば良い。尚、突起部材９としては、例えば特開２００２−４６７１号公報に開示されたストッパが適用出来る。
【００２４】
そして、上記制限手段により開放制限を受けた状態で引き違い障子７の最大開放時における開口幅Ｗが所定の開口幅以下になるようにその開口領域の一部に桟材５が設けられる。桟材５は引き違い障子７の開放側に寄せて配置し、レール８に沿って引かれる引き違い障子７の一部が開口領域の残りの一部を閉鎖する機能を兼ねる。
【００２５】
図４は小窓に設けられる引き違い障子７の一例であり、（ａ）は閉鎖時、（ｂ）は全開時の状態をそれぞれ示す。また、図５は出入り口窓に設けられる引き違い障子７の一例であり、（ａ）は閉鎖時、（ｂ）は全開時の状態をそれぞれ示す。尚、図５（ｃ）は制限手段を解除して引き違い障子７を開口部３の開口枠部６の一方側に寄せて人が出入りする開口幅を確保した状態を示す。引き違い障子７は２枚の硝子板の間に透明な樹脂を介在させた防犯ガラスにより構成することが出来る。
【００２６】
図７（ａ）に示す突っ張り部材10は開口枠部６に設けられた支軸10ａを中心にして回動自在に設けられており、制限手段として利用する場合には図７（ａ）に示すように、レール８に沿って配置して引き違い障子７に当接し、開放制限を解除する場合には、突っ張り部材10を起立させて開口枠部６内に収容する。
【００２７】
上記構成によれば、滑り出し障子２、片引き障子、引き違い障子７等の最大開放時における開口幅Ｗが所定の開口幅以下になるようにその開口領域の一部に桟材５を設けたことで、桟材５が各障子２，７の最大開放時における開口領域の一部を覆うだけであるため通風性能と防犯性能とを確保しつつ開放感が得られ、部屋の印象や雰囲気を低下させることなく、建物の外観の意匠性も低下させることがない。
【００２８】
また、片引き障子、引き違い障子７等の引き障子においては、室内側からの固定手段や制限の解除により容易に障子を完全に開放することが出来、緊急時の避難経路として有効に活用出来る。
【産業上の利用可能性】
【００２９】
本発明の活用例として、住宅における開口部の防犯構造に適用出来る。
【図面の簡単な説明】
【００３０】
【図１】本発明に係る開口部の防犯構造を滑り出し障子に適用した場合の第１実施形態の構成を示す正面図及び側面図である。
【図２】本発明に係る開口部の防犯構造を滑り出し障子に適用した場合の第２実施形態の構成を示す正面図及び側面図である。
【図３】滑り出し障子のリンク機構の一例を示す図である。
【図４】本発明に係る開口部の防犯構造を引き障子に適用した場合の第３実施形態の構成を示す正面図及び側面図である。
【図５】本発明に係る開口部の防犯構造を引き障子に適用した場合の第４実施形態の構成を示す正面図及び側面図である。
【図６】引き障子の各種の固定手段及び制限手段の一例を示す図である。
【図７】引き障子の各種の固定手段及び制限手段の一例を示す図である。
【符号の説明】
【００３１】
１…防犯構造
２…滑り出し障子
３…開口部
４…リンク機構
５…桟材
６…開口枠部
７…引き障子
８…レール
９…突起部材
10…突っ張り部材
11…カンヌキ
12…係止部
13…鎌錠
【図１】
2007211544.tif 000003
【図２】
2007211544.tif 000004
【図３】
2007211544.tif 000005
【図４】
2007211544.tif 000006
【図５】
2007211544.tif 000007
【図６】
2007211544.tif 000008
【図７】
2007211544.tif 000009